(57)【要約】【課題】表示部を有するシートを内部に容易に出し入れすることができる表示装置を提供する。【解決手段】表示装置は、保護カバー７、第１導光板２、第２導光板３、反射板６の順に枠体８に収納される。第１導光板２と第２導光板３との間に収容部１０を形成される。挿入口１７が枠体８の後側に形成される。挿入口１７と収容部１０とは、シート１２が滑らかに出し入れできるように、湾曲状に形成された案内面１９が配される。この案内面１９によって、シート１２を容易に収容部１０に配置することができ、シート１２の設置や変更等を必要以上に時間を要することなく行うことができる。
2005022491.tif 000002
【特許請求の範囲】
【請求項１】
側面より入射した光を前側に出射する導光板と、前記導光板の側面に配された光源と、前記光源を制御する制御部とが枠体に保持され、前記導光板の前側に、絵や写真等が印刷または取付けられた透光性を有するシートを収容する収容部が設けられ、前記枠体に、前記シートを前記収容部に挿入する挿入口が形成され、前記挿入口に、前記シートを前記収容部に出し入れ自在に案内する案内面が形成されていることを特徴とする表示装置。
【請求項２】
導光板の前側に、透光性の保護カバーが配され、後側に、反射板が配設されたことを特徴とする請求項１に記載の表示装置。
【請求項３】
側面より入射した光を前側に出射する少なくとも２枚以上の導光板と、前記各導光板の側面に配された光源と、前記光源を制御する制御部とが枠体に保持され、前記導光板と導光板との間に、絵や写真等が印刷または取付けられた透光性を有するシートを収容する収容部が設けられ、前記枠体に、前記シートを前記収容部に挿入する挿入口が形成され、前記挿入口に、前記シートを前記収容部に出し入れ自在に案内する案内面が形成されていることを特徴とする表示装置。
【請求項４】
各導光板のうち、最前側に配された前記導光板の前側に、透光性の保護カバーが配され、最後側に配された前記導光板の後側に、反射板が配設されたことを特徴とする請求項３に記載の表示装置。
【請求項５】
光源は、赤色発光ＬＥＤ、緑色発光ＬＥＤおよび青色発光ＬＥＤの第１光源と、白色発光ＬＥＤの第２光源とから構成され、制御部は、前記第１光源の駆動タイミングを制御して７色の発光を可能とする７色制御機能と、前記第２光源のＯＮ／ＯＦＦを制御するＯＮ／ＯＦＦ制御機能とを備えていることを特徴とする請求項３に記載の表示装置。
【請求項６】
各導光板には、第１光源または第２光源のいずれかが配されていることを特徴とする請求項５に記載の表示装置。
【請求項７】
前側に配された側面より入射した光を前側に出射する第１導光板と、後側に配された側面より入射した光を前側に出射する第２導光板と、前記第１導光板の側面に配された赤色発光ＬＥＤ、緑色発光ＬＥＤおよび青色発光ＬＥＤの第１光源と、前記第２導光板の側面に配された白色発光ＬＥＤの第２光源と、前記第１光源および第２光源を制御する制御部とが枠体に保持され、前記制御部には、前記第１光源の駆動タイミングを制御して７色の発光を可能とする７色制御機能と、前記第２光源のＯＮ／ＯＦＦを制御するＯＮ／ＯＦＦ制御機能とが備えられ、前記第１導光板と前記第２導光板との間に、絵や写真等が印刷または取付けられた透光性を有するシートを収容する収容部が設けられ、前記枠体に、前記シートを前記収容部に挿入する挿入口が形成され、前記挿入口に、前記シートを前記収容部に出し入れ自在に案内する案内面が形成されていることを特徴とする表示装置。
【請求項８】
収容部の開口と挿入口の開口とが異なった方向に向くように形成され、両開口を繋ぐように案内面が形成されていることを特徴とする請求項１、３または７のいずれかに記載の表示装置。
【発明の詳細な説明】
【技術分野】
【０００１】  本発明は、側面より入射した光を前側に出射する導光板の前側に、透光性を有するシートを出し入れ自在な表示装置に関するものである。
【背景技術】
【０００２】  結婚式会場や店頭等の入口付近に設置して、来客者や通行者に対して歓迎や案内を表示する案内板がある。従来の案内板は、黒板や鏡等のボードの縁を花飾り等で装飾し、中に文字や写真を貼っていた。しかし、文字だけのボード、写真だけのボード等では必ずしも来客者や通行者等の関心を集めることは難しい。【０００３】  そこで、人の注目や関心を引くためには、光る、動く等の演出効果をして自分達だけのオリジナルをセンス良く演出する必要がある。例えば、特許文献１では、透明パネルと導光板の間に絵や写真等の表示内容を抜いたシートを設けるとともに、導光板がシートの表示キャラクタ幅よりほぼＬＥＤの発光部の分だけ長く形成され、その長く形成された導光板の一方あるいは両サイドに複数のＬＥＤが一列に設けられている構成を採用したものが開示されている。
【特許文献１】特開２００３−２０８１１５号公報（段落０００９〜段落００１６、図１）
【発明の開示】
【発明が解決しようとする課題】
【０００４】  ところで、特許文献１では、透明パネルと導光板の間に表示キャラクタを抜いたシートを設け、導光板の一方あるいは両側面のＬＥＤを発光させることで、表示キャラクタを表示させている。しかし、シートを透明パネルと導光板との間に配置するのに手間がかかり、シートの設置や変更等を行うのが必要以上に時間を要する問題がある。【０００５】  そこで、本発明は、上記の問題点を解決するために、表示内容を有するシートを容易に挿入や取出しをすることができる表示装置を提供することを目的とする。
【課題を解決するための手段】
【０００６】  上記目的を達成するために、側面より入射した光を前側に出射する導光板と、前記導光板の側面に配された光源と、前記光源を制御する制御部とが枠体に保持され、前記導光板の前側に、絵や写真等が印刷または取付けられた透光性を有するシートを収容する収容部が設けられ、前記枠体に、前記シートを前記収容部に挿入する挿入口が形成され、前記挿入口に、前記シートを前記収容部に出し入れ自在に案内する案内面が形成されていることを特徴とする。【０００７】  導光板は、少なくとも側面に配置された光源の光が導光板内を透過できる態様であれば、その材質、形状等が特に限定されるものではない。例えば、導光板は、アクリル樹脂、あるいはガラス等が例示できる。【０００８】  透光性を有するシートは、少なくとも導光板の前面から出射された光が透過できる態様であれば、その材質、形状等が特に限定されるものではない。例えば、シートは、ＯＨＰシートやフィルムあるいは塩ビシート等が例示できる。また、シートの前面には、絵や写真等が印刷または取付けられた表示部が設けられている。【０００９】  また、シートは、導光板の前側に設けられた収容部に収容される。収容されたシートは、導光板の前側に固定され、導光板から出射された光によって表示することができる。この収容部は、導光板に設けてもよい。例えば、導光板に溝を形成し、その溝にシートを挿入することで固定される。なお、収容部からシートを容易に出し入れすることができるように、シートの一辺に孔部や凸部等の保持部を形成させても良い。【００１０】  導光板の側面に配された光源は、個々の配置する間隔をあけて複数個配列する。これら複数個の光源をシートの表示部に対して側面に配設し、一方側の方向から光を送るようにするのがよい。あるいは、複数個の光源をシートを挟んで互いに対向する側面に分けて配設し、表示部の両側から表示部に向けて光を送るように構成してもよい。【００１１】  光源としては、例えば、ＬＥＤ（発光ダイオード）、ハロゲンランプ、冷陰極管等を用いることができるが、小型かつ長寿命のＬＥＤが好ましい。光源は単色である必要はなく、赤色発光、緑色発光および青色発光等の７色の発光を用い、様々な色彩を表現できる方が好ましい。【００１２】  また、各光源の駆動タイミングを制御する制御部を表示装置で１つに限定することはなく、各光源に載置してもよい。このように構成すれば、各光源で７色の発光を個々の駆動タイミングで制御することができるので、幻想的なイルミネーションの装飾効果が得ることができ、来客者や通行者等の関心を集めることができる。【００１３】  また、収容部の開口と挿入口の開口とが異なった方向に向くように形成され、両開口を繋ぐように案内面が形成されていることを特徴とする。【００１４】  収容部の開口は導光板の前面に対して垂直方向に開口しており、挿入口の開口は枠体の後面に開口している。すなわち、収容部の開口と挿入口の開口とは異なった方向に開口している。そこで、収容部にシートを容易に収容するための案内面が形成される。この案内面は、挿入口の開口から収容部の開口までシートが案内面に沿って滑らかに出し入れできるように、湾曲状に形成されている。これにより、ある程度弾力性を有するシートであっても挿入することができる。【００１５】  また、導光板の前側に、透光性の保護カバーが配され、後側に、反射板が配設されたことを特徴とする。この導光板の前面側に透光性の保護カバーを配設することで、導光板あるいはシートの前面の傷や汚れ等を防ぐことができる。この構成によれば、シートの絵や写真等が印刷または取付けられた表示部には傷が付くことがない。例えば、前面に傷または汚れ等で表示装置の文字・記号が読み取ることができなくなっても、保護カバーの交換のみで遜色のない表示装置に容易に修復することができる。【００１６】  なお、保護カバーは、透光性を有するものであれば、その材質や厚み、形状等は特に限定されることはない。さらに、反射板は、少なくとも光源を反射させる態様であれば、その材質、形状等が特に限定されるものではない。例えば、保護カバーは、アクリル、ガラス、塩ビシート等が例示でき、反射板は、鏡、あるいはステンレス等が例示できる。【００１７】  上記構成によると、側面より入射した光を前側に出射する導光板と該導光板の側面に配設された光源とで構成するため、複雑な設備や特殊な知識等を要することなく安価でコンパクトな表示装置を製作することができる。また、シートを収容部に収容する手間を簡略することができ、容易にシートの設置や変更等を行える表示装置を提供することができる。
【発明の効果】
【００１８】  以上のように、挿入口の開口と、収容部の開口とを繋ぐように案内面が形成することで、絵や写真等を印刷または取付けたシートを容易に配置することができる。これにより、シートの設置や変更等を必要以上に時間を要することなく行うことができる。
【図面の簡単な説明】
【００１９】［図１］本発明に係る表示装置の分解斜視図
［図２］表示装置の縦断面図
［図３］表示装置の横断面図
［図４］表示装置のＬＥＤの回路図
【符号の説明】
【００２０】１    刻設部
２    第１導光板
３    第２導光板
４    第１光源
５    第２光源
６    反射板
７    保護カバー
８    枠体
１０  収容部
１１  開口
１２  シート
１３  表示部
１４  制御部
１５  電源
１６  電源スイッチ
１７  挿入口
１８  開口
１９  案内面
２０  裏蓋
２１  収納凹部
２２  反射膜
【発明を実施するための最良の形態】
【００２１】  以下、本発明の実施形態を図面に基づいて説明する。図１は本発明に係る表示装置の分解斜視図、図２は表示装置の縦断面図、図３は表示装置の横断面図、図４は表示装置のＬＥＤの回路図である。【００２２】  本発明に係る表示装置は、図１に示すように、文字や記号を凹状に掘って表示した刻設部１が設けられた第１導光板２と、側面から入射された光を前側に出射するようにエッチング加工された第２導光板３と、第１導光板２の側面に配された第１光源４と、第２導光板３の側面に配された第２光源５と、第２光源５からの光を第２導光板３の前側に反射させる反射板６と、第１導光板２の前面を保護する保護カバー７と、これらを束ねて外周面を装飾する枠体８とから構成される。【００２３】  上記構成は、図２、図３に示すように、第１導光板２の前側に保護カバー７を、第２導光板３の後側に反射板６を配設する。配設した保護カバー７と、第１導光板２および第２導光板３と、反射板６とを枠体８の背面から収納する。このとき、保護カバー７であるアクリルカバー、第１導光板２、第２導光板３、反射板６である鏡の順に内設する。光源４，５は、光が導光板内に入射するように各導光板２，３の向い合う側面に配設する。さらに、光源４，５の電源スイッチ１６を枠体８の背面に配設する。【００２４】  本実施例では、光源４，５からの光が透光するために、第１導光板２および第２導光版を透明な平板とする。各導光板２，３は、透光性のあるガラスやアクリル等で形成すればよい。また、導光板２，３の形状は、丸型や直方型等のように任意好適な形状にすることができる。本実施例では平行平板状とし、その平行平板状の平面形状を長方形としている。【００２５】  第１導光板２の前面には、文字や記号等を凹状に形成した刻設部１が設けてある。例えば、図１に示すように「Ｗｅｌｃｏｍｅ」等の文字を化学エッチング加工やレーザー加工等により刻設する。この刻設部１は、第１導光板２の前面を凹状に削ることで文字や記号等を表現する。このように形成された凹部は、第１光源４からの光を乱反射させる乱反射効果を高めることで、第１導光板２の前面へと向かう光の量が多くなる。すなわち、第１導光板２の前面の出射光の量が多くなり、刻設部１以外の部分より一層明るく光って見える。また、凹部は、レーザーを用いた微細加工、インジェクション成形等の従来周知の技術で容易に形成することができる。【００２６】  また、導光板２，３の側辺には、凹状に切りかかれた収納凹部２１が形成されている。この収納凹部２１は、両側の側面に間隔をおいて複数個配列されており、導光板２，３の側面に配された光源４，５であるＬＥＤが収納される。すなわち、収納凹部２１に光源４，５であるＬＥＤが収納されることにより、光源４，５から発せられる光全てを漏れなく導光板２，３に入射することができる。これにより、光源４，５からの光を効率よく導光板２．３の前面に出射することができる。【００２７】  さらに、導光板２，３の収納凹部２１以外の側辺には、光源４，５から入射された光が側面から出射されないように反射膜２２が形成されている。この反射膜２２は、シート状の反射膜２２を貼り付けたり、あるいは、塗膜形成してもよい。この反射���２２により、光源４，５からの光を効率よく導光板２．３の前面に出射することができる。【００２８】  第２導光板３には、その前側に配された写真や絵を表示する位置で側面から入射された光を前側に出射するように、後側に網目状にエッチング加工をして凹凸が形成される。この凹凸は、第１導光板２の刻設部１の効果と同様に、光の乱反射によって第２導光板３の前面へと向かう光の量が多くなる。したがって、第２導光板３の前面が明るく光って見える。なお、この凹凸は、特に網目状に限られることはない。【００２９】  第１導光板２と第２導光板３との間には、絵や写真等が印刷または取付けられた透光性を有するシート１２を収容する収容部１０が設けられる。この収容部１０は、第１導光板２と第２導光板３とが離して配することで形成された隙間であって、シート１２が容易に出し入れできる程度の幅（０．６〜０．７ｍｍ）であればよい。また、収容部１０には、導光板２，３の前面に対して垂直方向に開口１１が形成されており、導光板２，３の横幅より広く形成されている。【００３０】  収容部１０は、収容されたシート１２を第２導光板３の前側に固定する。これにより、シート１２は、第２導光板３から出射された光によって表示することができる。なお、収容部１０は、第２導光板３に設けてもよい。例えば、第２導光板に溝を形成し、その溝にシート１２を挿入しても良い。【００３１】  シート１２は、少なくとも第２導光板３の前面から出射された光が透過できる態様であれば、その材質、形状等が特に限定されるものではない。本実施例では塩ビシートを用いているが、ＯＨＰシートやフィルム等を用いてもよい。また、シート１２の前面には、絵や写真等が印刷または取付けられた表示部１３が設けられている。この表示部１３は、シート１２を収容部１０に収容した際、第２導光板３に設けられた網目状に形成されたエッチングと対向する位置に配設される。これにより、第２導光板３から出射された光によって表示部１３が表示され、表示装置の正面から見ることができる。【００３２】  また、表示部１３は、印刷あるいは取付ける範囲が分かるように、シート１２の表面に点線や破線等によって指示されている。これにより、使用者は、容易に写真や絵等を印刷や貼着することができる。さらに、シート１２の上辺側には、収容部１０からシート１２を容易に出し入れすることができるように、丸形状の孔が形成される。これにより、使用者は、シート１２を確実につまむことができ、シート１２を滑らすことなく容易に引出すことができる。なお、本実施例において、丸穴形状の穴で形成されているが、長丸形状や直方形状等でも良く、片面に突起を設けても良い。すなわち、使用者が容易につまむことができる形状であればよい。【００３３】  第１光源４および第２光源５は、市場で容易に入手できる任意好適な赤、緑、青色等の可視光領域の光を発光するＬＥＤを使用する。この第１光源４および第２光源５を点灯や消灯等の電気的制御を行うことにより、光は、各導光板２，３を通り、刻設部１の凹部およびエッチングの凹凸において、常時はもとより、任意好適な時間だけ光を入射することができる。なお、第１光源４には、赤色発光ＬＥＤ、緑色発光ＬＥＤおよ���青色発光ＬＥＤが配され、第２光源５には白色発光ＬＥＤが配される。【００３４】  また、各光源４，５は、各導光板２，３の側面に配設され、導光板２，３の側面から導光板内へと光を入射させる構成とする。第１光源４は、第１導光板２の向い合う両側の側面全体に間隔をおいて複数個配列される。第２光源５は、第２導光板３の向い合う両側の側面で、かつ、シート１２に設けられた表示部１３の範囲内に間隔をおいて複数個配列される。各光源４，５には、駆動タイミングを制御する制御部１４が載置される。この制御部１４は、ＩＣチップ等のマイコンであって、例えば、第１光源４の駆動タイミングを制御して７色の発光を可能とする７色制御機能、第２光源５のＯＮ／ＯＦＦを制御するＯＮ／ＯＦＦ制御機能等の光源４，５の点灯順番を規定したプログラムが書き込まれている。マイコンは、書き込まれたプログラムにしたがって、規定した駆動タイミングで第１光源４および第２光源５の点灯や消灯等を行う。【００３５】  すなわち、制御部１４に書き込まれたプログラムにしたがって各光源４，５を発光する。この光により、第１導光板２の刻設部１やシート１２の表示部１３における文字や記号等を明るく表示させることができる。さらに、第１光源４であるＬＥＤが発光するそれぞれの色を順番に点灯することで、何通りもの色合いを表現することができる。【００３６】  第１光源４および第２光源５には、電源１５として、商用電源あるいは発電装置からの電力、または、電池等のバックアップ電源を利用することができる。商用電源あるいは発電装置からの電力の場合、商用電源からＡ／Ｄコンバータ用アダプタを介して電力を供給する。枠体８には、アダプタ接続ジャックを配置しておけばよい。これによって、第１光源４や第２光源５、制御部１４が駆動される。【００３７】  また、電池等のバックアップ電源の場合は、停電や主電源に異常が発生した時のように、商用電源からの供給が途絶えたり、電力が低下したといった非常時に使用される。また、電源供給のできないところでの使用を可能とする。なお、電源１５のＯＮやＯＦＦは、表示装置の背面に配設された電源スイッチ１６で行う。【００３８】  反射板６は、第２導光板３の後側からの反射光を効率よく利用するため、第２導光板３の後側に配設する。本実施例の反射板６は、鏡を用いているが、その他にステンレス等の光を反射する態様であれば特に限定されることはない。【００３９】  保護カバー７は、第１導光板２の前側を傷や汚れ等から保護するもので、第１導光板２の前側に配設する。本実施例はアクリルカバーを用いているが、その素材は限定されず、ガラスや塩ビシート等を用いてもよい。また、その厚みも特に限定されない。すなわち、第１導光板２の刻設部１が可視できる態様であれば特に限定されることはない。【００４０】  枠体８は、表示装置を構成する第１導光板２、第２導光板３、第１光源４、第２光源５、反射板６、保護カバー７を枠体８の内部に収納して一つに束ねるものである。また、枠体８の後面には、裏蓋２０が配される。さらに、枠体８は、表示装置の外装部を装飾するものである。また、枠体８の後側上部には、収容部１０にシート１２を挿入できるように挿入口１７が形成され��いる。この挿入口１７は、導光板２，３の横幅より広く形成される。また、挿入口１７の両側端部は、シート１２の出し入れを容易にするために横方向に広がるように湾曲状のくぼみが形成されている。これにより、シート１２を収容部１０に挿入する際、挿入口１７で枠体８に引掛けることなく容易に挿入することができる。【００４１】  また、挿入口１７の開口１８と収容部１０の開口１１とを繋ぐように案内面１９が形成される。この案内面１９は、挿入口１７の開口１８から収容部１０の開口１１までシート１２が案内面１９に沿って滑らかに出し入れできるように、湾曲状に形成されている。これにより、ある程度弾力性を有するシート１２であっても挿入することができる。【００４２】  次に、上記構成による光源４，５の発光動作について説明する。先ず、電源スイッチ１６をＯＮにする。光源４，５の制御部１４に電気が流れ、制御部１４に書きこまれたプログラムにしたがって第１光源４は、赤、緑、青を点灯する。この第１光源４の駆動タイミングによって、赤、緑、青と、補色関係にある黄、シアン、マゼンタ、さらには全色点灯により白色を発光することができる。この第１光源４からの光は、前面に文字や記号等を刻設した第１導光板２の側面から入射する。入射した光によって文字や記号等の刻設部１が乱反射して明るく表示される。また、様々な色で点灯する第１光源４の光によって、刻設部１の色合いも変化する。【００４３】  また、第２光源５においては、第１光源４と同様に、制御部１４に書きこまれたプログラムにしたがって点灯する。この第２光源５は、ＯＮ／ＯＦＦ制御により白色を発光する。この第２光源５からの光は、後面にエッチング加工がされた第２導光板３の側面から入射する。入射した光によってエッチング加工された凹凸で乱反射し、第２導光板３の前面に光が出射される。出射された光によって、第２導光板３の前側に配された文字や記号等の表示部１３が印刷または取付けられたシート１２が明るく表示される。【００４４】  さらに、第２導光板３の後面側に配設した反射板６により、第２光源５の光が反射してシート１２の表示部１３を立体的に見えるように演出をする。【００４５】  なお、本発明は、上記実施形態に限定されるものではなく、本発明の範囲内で修正、変更を加えることができる。例えば、導光板を２枚で重ねるのではなく、３枚や４枚等のように複数枚重ねても良い。また、保護カバーと１枚の導光板だけの構成とし、保護カバーと導光板との間にシートを挿入する構成としても良い。【００４６】  また、第１導光板と第２導光板との間で、シートの前側にハーフミラーを配置しても良い。これにより、第２光源が点灯することによりシートに印刷または取付けられた写真や絵等が浮かび上がる演出をすることができる。【００４７】  また、ＬＥＤを導光板の側面部１箇所または３箇所に配設してもよい。さらには、導光板の全周にＬＥＤを設けてもよい。また、導光板は透光性があればどのような態様でも限定されることはない。例えば、液体、乳白色、すりガラス、ハーフミラー等例示できる。また、上記実施形態のような枠体の背面からの収納するのみならず、枠体の内枠に嵌め込む態様でも適用できる。【００４８】  また、���実施形態において、第１導光板は、シートに印刷または取付けられた写真や絵等が見えるように透光性のある、例えばアクリルやガラス等を用いているが、さらに、写真や絵等がよく見えるように貫通穴を設けてもよい。これにより、より鮮明な写真や絵等を表示することができる。【００４９】  さらに、第１光源および第２光源とも７色に発光するＬＥＤを用いても良い。これにより、様々なイルミネーションの演出をすることができる。
【産業上の利用可能性】
【００５０】  本発明の表示装置を結婚式会場のウェルカムボードや飲食店等の店頭に設置する価格表等に使用することにより、複雑な設備や特殊な知識等を要することなく安価でコンパクトな表示装置を製作することができる。また、シートを収容部に収容する手間を簡略することができ、容易にシートの設置や変更等を行うことができる。
【図１】
2005022491.tif 000003
【図２】
2005022491.tif 000004
【図３】
2005022491.tif 000005
【図４】
2005022491.tif 000006
【手続補正書】
【提出日】平成16年12月1日(2004.12.1)
【手続補正００１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
側面より入射した光を前側に出射する少なくとも２枚以上の導光板と、前記各導光板の側面に配された光源と、前記光源を制御する制御部とが枠体に保持され、前記導光板と導光板との間に、絵や写真等が印刷または取付けられた透光性を有するシートを収容する収容部が設けられ、前記枠体に、前記シートを前記収容部に挿入する挿入口が形成され、前記挿入口に、前記シートを前記収容部に出し入れ自在に案内する案内面が形成されていることを特徴とする表示装置。
【請求項４】
各導光板のうち、最前側に配された前記導光板の前側に、透光性の保護カバーが配され、最後側に配された前記導光板の後側に、反射板が配設されたことを特徴とする請求項３に記載の表示装置。
【請求項５】
光源は、赤色発光ＬＥＤ、緑色発光ＬＥＤおよび青色発光ＬＥＤの第１光源と、白色発光ＬＥＤの第２光源とから構成され、制御部は、前記第１光源の駆動タイミングを制御して７色の発光を可能とする７色制御機能と、前記第２光源のＯＮ／ＯＦＦを制御するＯＮ／ＯＦＦ制御機能とを備えていることを特徴とする請求項３に記載の表示装置。
【請求項６】
各導光板には、第１光源または第２光源のいずれかが配されていることを特徴とする請求項５に記載の表示装置。
【請求項７】
前側に配された側面より入射した光を前側に出射する第１導光板と、後側に配された側面より入射した光を前側に出射する第２導光板と、前記第１導光板の側面に配された赤色発光ＬＥＤ、緑色発光ＬＥＤおよび青色発光ＬＥＤの第１光源と、前記第２導光板の側面に配された白色発光ＬＥＤの第２光源と、前記第１光源および第２光源を制御する制御部とが枠体に保持され、前記制御部には、前記第１光源の駆動タイミングを制御して７色の発光を可能とする７色制御機能と、前記第２光源のＯＮ／ＯＦＦを制御するＯＮ／ＯＦＦ制御機能とが備えられ、前記第１導光板と前記第２導光板との間に、絵や写真等が印刷または取付けられた透光性を有するシートを収容する収容部が設けられ、前記枠体に、前記シートを前記収容部に挿入する挿入口が形成され、前記挿入口に、前記シートを前記収容部に出し入れ自在に案内する案内面が形成されていることを特徴とする表示装置。
【請求項８】
（補正後）収容部の開口と挿入口の開口とが異なった方向に向くように形成され、両開口を繋ぐように案内面が形成されていることを特徴とする請求項３または７に記載の表示装置。
【国際調査報告】
2005022491.tif 000007
2005022491.tif 000008